Podtech/llm-jp-corpus-v4-ja_patent huggingface dataset:
(57)【要約】【課題】  耳の穴の奥まったところやくぼんだところにある汚れや水分を、より多く取りのぞくための綿棒を提供する。【解決手段】  綿棒の棒（１）の部分全体をゆるやかな半円形の形に曲げて、カーブを付けたことを特徴とする。【選択図】  図１
2005066280.tif 000002
【特許請求の範囲】
【請求項１】
綿棒の棒（１）の部分全体を、ゆるやかな半円形の形に曲げてカーブを付けた綿棒。
【発明の詳細な説明】
【技術分野】
【０００１】    この発明は、棒の部分にカーブを付けた綿棒に関するものである。
【背景技術】
【０００２】    従来より、綿棒は棒の部分がまっすぐであった。
【発明の開示】
【発明が解決しようとする課題】
【０００３】    これには次のような欠点があった。
（イ）耳の穴の形は筒状で、奥に向かって上向きにゆるやかにカーブしており、従来のまっすぐな綿棒ではこの穴の形に添いにくく、思うようなところに綿棒の頭部が届きにくかった。
（ロ）綿棒がまっすぐなため、耳の穴の奥まったところやくぼんだところにある汚れや水分をかき出すのがむずかしかった。
本発明はこれらの欠点を除くためになされたものである。
【課題を解決するための手段】
【０００４】    綿棒の棒（１）の部分全体をゆるやかな半円形の形になるように曲げて、棒の部分にカーブをもたせる。
本発明は以上のような構成よりなる綿棒である。
【発明の効果】
【０００５】    まっすぐだった綿棒の棒（１）を曲げることにより、綿棒の頭部（２）が角度を持ち、耳の穴の形状に添いやすくなり、耳の穴のくぼんだところや奥まったところにある汚れや水分等をかき出しやすくなる。また図２の矢印（３）のように柄を回転させて使用することにより、綿棒の頭部（２）が円を描くように動き、耳の穴への接触面積がずっと大きくなり、より多くの汚れを取ることができるようになる。
【発明を実施するための最良の形態】
【０００６】    以下、本発明の実施の形態について説明する。
まっすぐな綿棒の棒（１）の部分全体を、真ん中を中心として左右対称のゆるやかな半円形を描くような形に曲げる。
本発明は以上のような構成で、これを使用するときは、図２の矢印（３）のように柄（１）の部分の中心部を指（４）で持ち、棒（１）を回転させながら使用し、耳の穴（５）の内部の掃除を行う。
【産業上の利用可能性】
【０００７】    このカーブ付綿棒は、従来のまっすぐな綿棒より汚れをかき出す能力に優れており、個人での使用はもとより、医療機関等でも十分な活用が見込まれる。
【図面の簡単な説明】
【０００８】
【図１】  本発明の側面図である。
【図２】  本発明の使用状態を示す側面図である。
【符号の説明】
【０００９】  １：棒  ２：頭部  ３：矢印  ４：指  ５：耳の穴
【図１】
2005066280.tif 000003
【図２】
2005066280.tif 000004
(57)【要約】【課題】痛点を無視した治療は、効能、効果を発揮することが困難であり治療期間も長く、患者の負担も大きい痛点は、身体からの叫びであるから良く聞かなければならない痛点療法は身体との対話です。各人全部治療するところがちがいます【解決手段】痛点は通電性に優れた点で患部と直接関係があります患部には必ず痛み、疲れなどの素があります痛点より直接に負電位を負荷することにより痛み、疲れの素を、分解または中和して取り除くことにより即効的な治療が可能となります。【特許請求の範囲】
【請求項１】
痛点より、負電位を直接負荷し治療及び予防行う方法
【発明の詳細な説明】
【技術分野】
【０００１】痛点より負電位を負荷し痛みの素を消去する
電位療法は絶縁されたマットで負電位を負荷します。
痛点療法は痛点から直接、負荷しますので即効性に優れています。
【背景技術】
【０００２】負電位負荷は通電性のすぐれた痛点より行うことが極めて効果的である
【発明が解決しようとする課題】
【０００３】電位療法は厚生労働省より効能効果の認可をうけていますが治療器は治療効果を最大限に発揮することは困難でした。
電位療法と痛点療法を組み合わせる事によって効能効果の幅を増やすことができる。
【課題を解決するための手段】
【０００４】痛点を無視した治療は、ザルで水を運ぶようなもので極めて効率が悪い。
したがって痛点の探索が重要である
痛点は非常に良く電気をながす性質がある。
１ミリにも満たない点です。
痛みを訴える場所には、線状または群状にあります。
また、将来痛みを訴えるであろう所にも見られます。
これによって、治療は勿論、予防もできます。
病気は早期発見が原則である、
細胞は痛点から病気になるまえに助けを求めています
【発明の効果】
【０００５】負電位を痛点より負荷する、痛点療法によって、神経痛、腰痛、肩こり、四十肩、五十肩などを即効的に改善できる
痛点療法は即効性が特性である。
痛点療法は痛点を刺激するだけでなく痛みの素を消去します。
【発明を実施するための最良の形態】
【０００６】家庭用電位治療器に痛点探索器を内蔵することにより家庭に於いて治療を行うことができます。
２１世紀の厳しい環境には私達の細胞は悲鳴をあげています。
現在の生活環境を変えることができない以上電位療法と痛点療法の普及によって
子供の健全な成長
疲れを知らない元気な成人
生産活動に参加のできるお年寄りを目指してせめて絶縁されたマットを用いて大自然のようなマイナスイオンの溢れる中で睡眠を摂り、毎日、身体の保養をし、幸せな健康生活を送り、健康に感心を持ち電位療法と痛点療法をして頂ければ、半健康人は半減し家庭における医療費削減はもとより、国家の数十兆円の医療費も数割の単位で削減が可能であると信じます
医療費は額が大きいほど人々の苦痛が大きいのです
電位療法、痛点療法は電気代金１ヶ月５円程度です
【実施例】
【０００７】痛点の周りの赤いところが３０分位で消えます、消えたら回復です
2005066276.tif 000002
(57)【要約】【課題】  テースティングを行うにあたっては、特殊な飲み方が必要で、その特殊な飲み方のためむせたり、最悪吐いてしまう可能性まであった。【解決手段】    カップの上部、飲料時に下唇と接触する部分より上部から、飲料時に下唇と接触する部分より下部に至る、空気が通るのに十分な大きさの溝、若しくは空気が通るのに十分な大きさの穴より、飲料時に下唇と接触する部分より下部の穴までに至る空洞部、若しくは空気が通るのに十分な大きさ管をもつ。【選択図】  図１
2005066274.tif 000002
【特許請求の範囲】
【請求項１】
カップの上部、飲料時に下唇と接触する部分より上部から、飲料時に下唇と接触する部分より下部に至る、空気が通るのに十分な大きさの溝を、１つ若しくは複数もつことを特徴とした、テーステングカップ
【請求項２】
カップの上部、飲料時に下唇と接触する部分より上部に、空気が通るのに十分な大きさの穴を、１つ若しくは複数もつ。かつ、その穴より、飲料時に下唇と接触する部分より下部の穴までに至る空洞部、若しくは空気が通るのに十分な大きさ管を、１つ若しくは複数持つことを特徴としたテーステングカップ
【発明の詳細な説明】
【発明の詳細な説明】
【発明に関する技術分野】
【００１】本発明は、テーステングカップに関する。
【背景技術】
【００２】テースティングのためには、最も一般的な、ワインのテースティンググラスから、日本酒で用いる、利き猪口までさまざまなものが考え出されている。その中で、ワイン日本酒等の比較的アルコール度数の少ない酒においては、中の液体を回転させ、香りを立たせるのに十分な大きさ及び形のものが一般的に使われている。また、テーステングカップから中の液体を口に含んだ後においても、口をすぼめて舌を丸め、空気を吸い込み、口中で飲んだ液体と空気を混ぜるように、ズズズッと音を立てて吸い込むような特殊な飲み方を必要とする。
【発明が解決しようとする課題】
【００３】テーステングにおいては、カップから中の液体を口に含んだ後でも、普通とは違う特殊な飲み方をしなければならず、気軽にお酒の本来持つ十分な香りを楽しむことは不可能であった。本発明は、以上の欠点をなくすことを目的としたものである。
【課題を解決するための手段】
【００４】本発明は、カップの上部、飲料時に下唇と接触する部分より上部から、飲料時に下唇と接触する部分より下部に至る、空気が通るのに十分な大きさの溝を、１つ若しくは複数持たせる。もしくは、カップの上部、飲料時に下唇と接触する部分より上部に、空気が通るのに十分な大きさの穴を、１つ若しくは複数もたせ、かつ、その穴より、飲料時に下唇と接触する部分より下部の穴までに至る空洞部、若しくは空気が通るのに十分な大きさ管を、１つ若しくは複数もつことにより、以上の課題を解決するものである。
【実施例】
【００５】請求項１の最も代表的な実施例を、図１で示す。飲料時に下唇と接触する部分を主とした縦方向の、一本の溝を持つことを特徴とする。請求項２の最も代表的な実施例を図２で示す。特に図２のように、厚手のカップのときは、請求項２の管を持つことを特徴とした構造でも容易に造ることが出来る。図３も請求項２の実施例であるが、このごろよくある、断熱性能を重視した二重構造のカップに本発明を適応させたものである。カップの内側に空洞部を持ち、空洞部に至る穴を、飲料時に下唇が接触する上部と下部に持つ。図４は請求項１の実施例であるが、ワインで言うブルゴーニュタイプのような、味及び香りの広がりを求められる物を飲むために考えたテーステングカップである。特徴としては、味及び香りがより広がるように逆八の字に配した複数の溝を持つことを特徴とする。
【発明の効果】
【００６】本発明の効果の理解をより深めるため、テースティング時になぜ先に書いたような特殊な飲み方をするのかを書くことにする。より正確で、必要十分な、最も一般的に用いられている、テースティング後に飲むことを前提としたテースティングの方法を書く。一度液体を口に含んだ後、口をすぼめ舌を丸め、突き出すように舌先を口から僅か出したくらいの状態で、空気を吸い込む。その理由は、空気を口腔の液体の下にもぐり込ませ、沸き上がらせることにより放つ揮発成分を巡回させることが出来る。そのため、その液体のもつ味及び香りを、十二分に味わうことができる。しかし、一般の人々が思うほど、この方法は正しく認識されていない。その理由は２つある。１つは特殊な一部をのぞいて、テースティングに関して、文化的な継承がない。これはしかたがないとして、２つ目はテースティングに関しての、正確な情報の提供がなされていないことである。  この件に関して、この明細書を書くにあたって、調べられる限りののワインのテースティングについて書かれていそうな入門書から専門書に至るまでの本及びインターネットでの情報等を再度調べてみた。すると、前記したテースティングに最低必要十分な条件が書かれているものはほとんどなかった。具体的には、舌の使い方が全く書かれていず、単に口をすぼめて、ズズズッと音を立てて吸い込むように飲むとしか書かれていないのが殆どであった。一見このことは、非常に些細なことにも見えるが、実際に舌の使い方が全く記載されていない方法で、ワイン等の香りの強い酒類を飲もうとすると、むせてしまい飲むどころではなく、最悪吐いてしまう可能性も高い。実際自分は、このような場面を何度となく目撃している。本発明は、下唇と接触する部分より上部に空気が通る溝もしくは管等をもつ構造のため、飲むと同時に空気を吸い込むことが出来る。かつ、吸い込む空気は飲む液体の下を通るため、飛沫を生じるのふせぎ、以上のような欠点を予防する効果も持つ。また、液体の下を通った空気は、沸き上がりかつ循環することにより、その液体のもつ味及び香りを、十二分に味わうことができる。
【図面の簡単な説明】
【図１】請求項１の、一本の溝を持つことを特徴とする、本発明の外観図である。
【図２】請求項２の管を持つ事を特徴とする本発明の外観図で、穴及び管部の一部断面図をもつ。
【図３】請求項２の空洞部を持つことを特徴とする、本発明の外観図で、穴及び空洞部の一部断面図をもつ。
【図４】請求項１の、複数の溝を持つことを特徴とする、本発明の外観図である。
【図１】
2005066274.tif 000003
【図２】
2005066274.tif 000004
【図３】
2005066274.tif 000005
【図４】
2005066274.tif 000006
(57)【要約】【課題】  肩凝りや筋肉痛の箇所のように可動かつ面状に強力な磁気を要求される場合でも、常に減衰しない安定したジェル状磁気層を形成できる手段を提供する。【解決手段】  磁性体粉末をジェル状バインダー中に均一混合して得られたジェル材を対象物に塗布した後に、保護シートを介して磁石を当接し該ジェル材を着磁させる。【特許請求の範囲】
【請求項１】
磁性体粉末をジェル状バインダー中に均一混合して得られたジェル材を対象物に塗布した後に、保護シートを介して磁石を当接し該ジェル材を着磁させることを特徴とするジェル状着磁層の形成方法。
【請求項２】
ジェル状バインダー中に磁性体粉末が均一混合されたジェル材と保護シートと着磁用磁石とを主とするジェル状着磁層の形成用材セット。
【発明の詳細な説明】
【発明の勝訴否説明】
【技術分野】
【０００１】  この発明は、ジェル状に着磁層を形成する方法とそれに要する用材セットに関するものである。
【背景技術】
【０００２】  対象物の表面に着磁層を形成することにより、面状に磁気を付与することができるから、対象物が例えば長期永続的に磁気を要求するような痛み疾患の患部であるような場合では、従来からあるようなスポット状に磁石を当てがう磁気治療用品などよりも作用効果が大きいことは明らかである。そこでそのように面状に磁性体を付与する手段の提案が最近一部でなされている。【０００３】  例えば、湿布材のようなシート状の磁性体を予め工場で製造しておき、これを患部に貼る方法や、着磁した磁性体を含むジェル材を患部に塗布するなどの方法が提案されている（例えば、技術文献１、技術文献２参照）。【０００４】
【技術文献１】
実願平３−９５１５２
【技術文献２】
特願２００３−１９６８０５
【発明が解決しようとする課題】
【０００５】  上記のような患部などに着磁層を形成する場合、その着磁層は可動物であることからどうしてもジェル状体である必要がある。従って着磁されたジェル材を塗布したり、着磁されたジェル材の塗布された湿布材を貼着するわけであるが、実際には、ジェル状バインダー中に含まれる着磁した磁性体は均一分散しにくかったり、或いはたとえ磁性体が均一混合されたジェル材に形成しても、これを運搬など取り扱い中、或いは患部やシートなどに塗布する際に磁性体が撹乱されて、肝心の磁気が著しく低減してしまうという問題点があった。
【０００６】  本発明はかかる問題点を解決して、患部などの対象物に常に強力な磁気を面状に付与することのできるような手段と用材を提供することを課題とする。
【課題を解決するための手段】
【０００７】  磁性体粉末をジェル状バインダー中に均一混合して得られたジェル材を対象物に塗布した後に、保護シートを介して磁石を当接し該ジェル材を着磁させる。
【０００８】  ここでいう磁性体粉末とは、よく知られたフェライトなどのように着磁可能な粉末のことであり、ジェル状バインダーは、かかる粉末を対象物に塗布し安定的に塗着層を形成するためのつなぎ材料であって、ジェル状とは塗着層が形成後も対象物の可動を許容する類のものを指す。両者の混合比率は特に規定するものではないが、十分実用価値のある磁気を保持し得てかつ塗布に適した状態を保つためには、フェライト粉末の場合ではおよそ９０〜９４重量％程度が適量となる。
【０００９】  保護シートは、磁石を当該ジェル材に当接するときにそれが付着するのを妨ぐとともに、塗布後における外部からの接触を防御し、また塗布しにくい対象物の場合に、先に自らが塗布対象物となって塗布され、これを貼着するかたちをとるためなどに、必要となるものである。具体的にはガーゼや包帯などが該当する。また上述のように、この保護シート自体が本発明でいう「対象物」になり得ることは勿論であり、この場合は、別の対象物にジェル材側を当てて貼着しその保護シートの裏側から磁石を当接することになる。
【００１０】  着磁するために磁石はできるだけ強力である方が良いものの、使用する現場での制約から、電源を要する電磁石より永久磁石の方が好ましい。実際には小型アイロン以下の寸法及び形状で数千ガウス程度の磁力をもつものであれば十分であり、これはネオジウム系磁石などで容易に実現できるものである。
【作用】
【００１１】  本発明はこのような構成であるから、予め着磁されてない磁性体粉末をジェル状バインダー中に均一混合してジェル材としたものを、流通など運搬を伴う商品として取り扱い、また使用する際でも塗布する段階まではこの未着磁状態で取り扱われることになる。そして最終的に目的とする箇所に着磁すべき層が形成されてから着磁することになるから、その後は運搬や塗布工程における撹乱による磁気喪失の要因が無くなり、所望する十分な磁気が長期にわたって面状に付与されることになる。これはとりわけ鎮痛や消炎などのために面状に磁気を与えたい場合には甚だ適したものとなる。
【発明を実施するための最良の形態】
【００１２】  適宜薬用成分を配合した軟膏用ジェル材８重量％と平均粒径約１００μｍの酸化哲（フェライト）粉末９２重量％とを均一混合するようによく混練し、軟膏状のジェル材料として容器詰めする。その他に（ロール巻きの）ガーゼないし包帯状の保護シートを用意し、更に、長径約１０ｃｍで約４０００ガウスの永久磁石を底部に配置したアイロン鏝状の把手付き磁石を用意してこれをレンタル方式で提供するものとする。【００１３】  予め上記の保護シートを適宜寸法に裁断してその片面に上記ジェル材料を塗布し、その塗布面を肩凝りや筋肉痛などの痛みや炎症を訴える箇所に貼付する。その上から、上記の把手付き磁石を当てがい、ジェル材料中のフェライト粉末を磁化させる。【００１４】  或いは、上記のジェル材料の塗布された保護シートを磁石上に載置するなど、裏側より磁石を当接してフェライト粉末を磁化させてから、これを対象箇所に貼付する。【００１５】  いずれの場合も、貼付箇所は面状に甚だ強力な磁気が安定的に付与されることが明らかになった。その結果、磁気による鎮痛ないし消炎効果が求められる場合において作業時における磁気の減衰の憂いがなくなり、作用効果の安定性が著しく向上した。
【発明の効果】
【００１６】  このように本発明によれば、対象物に面状にジェル状磁気層を設けたい場合において、運搬や塗布などの取り扱い中に磁気が失われることがなくなるから、様々な現場におけるニーズに対応しながら常に高度かつ安定した可動性面状磁気層を提供できる効果がある。
(57)【要約】【課題】      粉末と液を練和して使用する根管充填シーラーの粉末が衛生的に効率的に使用できる構成とする。【解決手段】  粉末と液を練和して使用する根管充填シーラーの粉末と液とを一回に使用する量を適量に小分けして微妙な稠度を得ることが可能なスポイト状ディスポーザブル容器に格納する。【選択図】    図１
2005066300.tif 000002
【特許請求の範囲】
【請求項１】
粉末と液とを練和して使用する根管充填シーラーの粉末と液とが、一回の使用量に応じた適量の混合練和比で別々の容器内に格納し、使用時別々の容器から取り出し、混合し、練和した時に、最良の混合練和比となるカートリッジ式根管充填シーラー。
【請求項２】
粉末と液とを練和して使用する根管充填シーラーの粉末と液とが、一回の使用量に応じた適量の混合練和比で別々の容器内に格納し、使用時別々の容器から取り出し、混合し、練和した時に、最良の混合練和比となり、更に根管充填シーラーの微妙な稠度を調節するために、液を格納する容器がスポイト状の形状を成して、液を出す量を微妙に調節可能な機能を設けたカートリッジ式根管充填シーラー。
【請求項３】
粉末と液とを練和して使用する根管充填シーラーの粉末と液とが、一回の使用量に応じた適量の混合練和比で別々の容器内に格納し、使用時別々の容器から取り出し、混合し、練和した時に、最良の混合練和比となり、更に根管充填シーラーの微妙な稠度を調節するために、粉末と液とを格納する容器がスポイト状の形状を成して、粉末を出す量と、液を出す量とを微妙に調節可能な機能を設けた粉末用のディスポーザブルカートリッジ容器（７）と液用のディスポーザブルカートリッジ容器（３）とから成ることを特徴とするカートリッジ式根管充填シーラー。
【請求項４】
粉末と液を練和して使用する根管充填シーラーの粉末を一回の使用量に応じた適量をディスポーザブルカートリッジ容器（２７）内に封入したことを特徴とする粉末と液で練和して使用するカートリッジ式根管充填シーラー。
【発明の詳細な説明】
【発明の詳細な説明】
【発明に属する技術分野】
【０００１】  本発明は、粉末と液を練和して使用する根管充填シーラーの粉末と液の格納法に関する。
【背景技術】
【０００２】  従来の、粉末と液を練和して使用する根管充填シーラーの粉末と液は多量に何十回分も各々が一つの容器に入っていた。
【発明が解決しようとする課題】
【０００３】  従来の、粉末と液を練和して使用する根管充填シーラーの場合は、粉末を計量する時に多量に入った容器の蓋を開き、計量スプーンにて使用量を取り出していた。
容器の中で粉末が圧縮されている場合と圧縮されていない場合では、一回に計量スプーンを使用しても使用する量に誤差を生じていた。そのため練和中粉末の状態によって練和中粉末と液の量を増量したり減量したりして適度な稠度を作り出すためには時間と熟練を要した。
又、容器の中に数十回分が入っているので蓋を開けて使用する度に汚染の可能性が高くなること、又、計量スプーンが汚染されている時も容器内の粉末が汚染されていた。
【０００４】  本発明は、粉末と液を練和して使用する根管充填シーラーが練和を容易に更に衛生的に行なえることを目的としている。
【課題を解決するための手段】
【０００５】  上記の目的を達成するために、本発明は、粉末と液を練和する根管充填シーラが小分けされて格納する構成とした。
粉末と液とが、一回に使用する量が最良の混合練和比で別々に容器内に格納され、使用時各容器から取出し混合練和した時に、一回分の使用量と最良の混合練和比の根管充填シーラーを提供する。
更に、粉末と液との格納容器には目盛り付きスポイト容器の機能を設け、混合練和する根管充填シーラーの微妙な稠度の調節を可能とする構成とした。
又更に、粉末の一回の使用量を格納して、液により稠度を調整する構成とした。
【発明を実施するための最良の形態】
【０００６】  発明の実施の形態を実施例にもとづき図面を参照して説明する。
図１は、一回に使用する量の粉末８を封入したスポイト状ディスポーザブルカートリッジ容器７の先端部分に目盛りを設けたスポイト先端９部分が位置し微妙な量の調節を可能とする。又、液４を封入したスポイト状ディスポーザブルカートリッジ容器３の先端部分に目盛りを付けたスポイト先端を同様に設けて微妙な量の調節を可能とする。
図２は、一回に使用する量の粉末をディスポーザブルカートリッジ容器２７内に粉末２６を封入しキャップ２５を外して、粉末を全部出す構成としてある。
液容器２４は、先端がスポイト状２２に形成して一回に出る量が任意に決まっているので、液の一滴二滴で稠度を調節する。各容器の材質は医療用に安全なものであれば、樹脂系・ビニール系・紙系・金属系などどのようなものでも構わない。
【図面の簡単な説明】
【図１】  粉末用スポイト状ディスポーザブルカートリッジ容器と液用スポイト状ディスポーザブルカートリッジ容器の格納形態
【図２】  粉末をディスポーザブルカートリッジ容器に格納して、液を内容量を数回分の使用量を内蔵した液の容器
【符号の説明】
１  キャップ
２  目盛り
３  スポイト状ディスポーザブルカートリッジ容器
４  液
５  キャップ
６  目盛り
７  スポイト状ディスポーザブルカートリッジ容器
８  粉末
９  スポイト先端
２１  キャップ
２２  スポイト状
２３  液
２４  液容器
２５  キャップ
２６  粉末
２７  ディスポーザブルカートリッジ容器
【図１】
2005066300.tif 000003
【図２】
2005066300.tif 000004
(57)【要約】【課題】本発明は、マンション等共同住宅のバルコニーにある排水用溝掃除のためのちり取りである。一般的なちり取りでは、サイズがあわないためごみを取りきることが難しかったので、牛乳パックを利用して、すみずみまでごみをきれいに取り、ごみ処理も簡単なちり取りを提供する。【解決手段】牛乳パック（１リットル）（１）がきっちり収まる本体（２）に、上部から支える柄（３）を設ける。ごみを掃き入れやすいように、本体側面入り口部は斜めに（４）し、本体底部は、途中から入り口に向かって薄くする。集めたごみは、牛乳パック（１）ごと捨てるが、本体（２）のみの利用も有効である。【選択図】図１
2005066298.tif 000002
【特許請求の範囲】
【請求項１】
牛乳パック（１）がきっちり収まる本体（２）に、上部から支える柄（３）を設ける。ごみを掃き入れやすいように、本体側面入り口部は斜め（４）にし、本体底部（５）は途中から入り口に向かって薄くする。集めたごみは、牛乳パック（１）ごと捨てる。本体（２）のみの使用も有効である。牛乳パックを利用した溝掃除用のちり取り。
【発明の詳細な説明】
【発明の詳細な説明】
【技術分野】
【０００１】  本発明は、マンション等集合住宅のバルコニーにある排水用の溝をすみずみまできれいにするための、牛乳パックを利用した、手軽にごみを捨てられる溝掃除用ちり取りに関するものである。
【背景技術】
【０００２】  掃除用ちり取りは、様々な材質で、柄の長いもの短いもの、箒と共に収納されるもの等、多種販売されているが、溝掃除を目的としたものは見当たらない。
【発明が解決しようとする課題】
【０００３】  マンション等集合住宅のバルコニーには排水用の溝があり、バルコニー掃除の時、次のような問題点があった。市販されているちり取りの幅が大きいので、溝に集まったごみは一旦溝から掃き出して、それをちり取りで取るのが一般的である。このため溝の中にあるごみをすみずみまできれいに取り切ることが難しく、溝のごみは濡れていることが多いので、ちり取りが汚れ、ちり取りを水洗いする必要があった。
本発明は、以上の問題点を解決し、溝のすみずみまできれいにごみを取り、しかもごみの処理が簡単にできるようになされたものである。
【課題を解決するための手段】
【０００４】  牛乳パック（１リットル用）（１）がきっちり収まる本体（２）に、上部から支える柄（３）を設ける。本体だけでもちり取りとして使用できるように側面入り口部分（４）は斜めにし、またごみが入れやすいように、本体底部入り口部分（５）は薄くしてある。集めたごみは、牛乳パックごと捨てる。
本発明は、以上の構成よりなる溝のすみずみまできれいにごみを取り、ごみの処理が簡単にできる溝掃除用ちり取りである。
【発明を実施するための最良の形態】
【０００５】  以下、本発明の実施の形態を説明する。
（イ）牛乳パック（１リットル）（１）がきっちり収まる本体（２）に、上部から支えるための柄（３）を設ける。牛乳パックの中にごみが入る仕組みである。
（ロ）本体だけでも利用できるように、本体側面入り口上部から底部にかけては斜め（４）になっている。
（ハ）本体（２）底部の厚みは、ごみが入れやすいように途中から入り口に向かって薄くなっている（５）。
本発明は以上の構成よりなる。
本発明を使用する場合は、自分で切った牛乳パック（１）を本体（２）に差し込み、柄（３）を持ってちり取りとしてごみを掃き入れる。集めたごみは、牛乳パック（１）ごと一緒に捨てる。本体（２）だけでも利用できる。
【発明の効果】
【０００６】  本発明を使用することで、溝のすみずみまできれいに掃除でき、集めたごみは牛乳パックごと捨てられるので、ごみの処理が手を汚さずに簡単にできる。
【図面の簡単な説明】
【図１】本発明の斜視図
【図２】本発明の断面図
【符号の説明】
（１）牛乳パック（１リットル）、（２）本体、（３）柄、（４）本体側面入り口、（５）本体底部
【図１】
2005066298.tif 000003
【図２】
2005066298.tif 000004
(57)【要約】【課題】一般の歯ブラシでは磨きにくい奥歯や歯の裏側を磨きやすくする為、リング型歯ブラシを提供する。【解決手段】リング１にブラシ２を埋め込む事によって、ブラシを指先に装着できるようにする。【選択図】図１
2005066294.tif 000002
【特許請求の範囲】
【請求項１】
リング型にし指に装着することにより、歯の隅々まで磨きやすくした歯ブラシ。
【発明の詳細な説明】
【技術分野】
【０００１】本発明はリングの先にブラシを付け、奥の歯や歯の裏側などを磨きやすくする為の歯ブラシである。
【背景技術】
【０００２】自分用の歯ブラシとして指に装着できるものはなかった。
【発明が解決しようとする課題】
【０００３】従来の歯ブラシは柄が真直ぐな為、奥歯や歯の裏側などにブラシを当てるのが難しかった。本発明は指の関節を使って、自分の歯の届きにくい部分にブラシを当てやすくし歯垢を取り除き虫歯を予防する為のものである。
【課題を解決する為の手段】
【０００４】プラスチック等のリングにブラシを付ける事により歯を磨きやすくする。
筒状でなくリング状にするのは使用後の洗浄のし易さを考慮しての事である。
また、リングには割目を入れる事により指の太さにより広がりサイズ調整がされる。
【発明の実施する為の最良の形態】
【０００５】以下、本発明の実施の形態について説明する。
（イ）リングの先にブラシを埋め込む。
（ロ）リングに割目を持たせる。
（ハ）リングの内側にデコボコを持たせる。
【実施例１】
【０００６】リングの先にブラシを付ける事で、歯磨き時に自分の指に装着し関節を使うことにより歯の磨きにくいところにブラシを当てられる。こまめに歯垢を取ることによって虫歯の予防になる。
【図面の簡単な説明】
【０００７】
【図１】本発明の側面図である。
【図２】本発明の断面図である。
【符号の説明】
【０００８】  １リング
２ブラシ
【図１】
2005066294.tif 000003
【図２】
2005066294.tif 000004
(57)【要約】【課題】クスリシートから錠剤を取り出した後、空になったクスリシートを提供する。【解決手段】プラスチックの容器（１）上に、削除した穴（３）を設け、かつカットした部分（６）を設けたことを特徴とする。【選択図】図１
2005066299.tif 000002
【特許請求の範囲】
【請求項１】
１錠づつ切り離した場合に角が丸くなるように形成したクスリシート。
【発明の詳細な説明】
【発明の詳細な説明】
【技術分野】
【０００１】  この発明は、角が丸くカットされているクスリシートに関するものである。
【背景技術】
【０００２】  従来、１錠づつ切り離すと尖った角ができるクスリシートがあった。
【発明が解決しようとする課題】
【０００３】  これは次のような欠点があった。
（イ）クスリシートから錠剤を取り出した後、空になったクスリシートをちぎってその後に残っているクスリシートに触れると尖っていて痛く感じる。
（ロ）クスリシートの角が尖っていて薬を入れている袋が破ける。
本発明は、これらの欠点を除くためになされたものである。
【課題を解決するための手段】
【０００４】  錠剤を入れるプラスチックの容器（１）を設ける。そしてプラスチックの容器を密封するためのアルミ箔（２）を張りつけた後クスリシートの１錠づつの角が丸くなるように切り取る。
本発明は、以上のような構成よりなるクスリシートである。
【発明を実施するための最良の形態】
【０００５】  以下、本発明の実施の形態について説明する。
（イ）  錠剤（４）を入れるプラスチックの容器（１）を密封するアルミ箔（２）を設ける。
（ロ）プラスチック容器（１）とアルミ箔（２）で密封した１錠づつのクスリシートの角が丸くなるように削除した穴（３）とカットした部分（６）を切り取る。
本発明は、以上のような構成で、これを使用する時は、プラスチックの部分より指で押さえて錠剤を取り出す。
【発明の効果】
【０００６】  本発明を使用する事によって空になったクスリシートをちぎった後、クスリシートを触っても痛いという不快感を感じなくなり、クスリシートを入れた袋も破けにくくなる。
【図面の簡単な説明】
【図１】  本発明の正面図である。
【図２】  本発明の側面図である。
【図３】  本発明の使用状態を示す斜視図である。
【符号の説明】
１  プラスチックの容器
２  アルミ箔
３  削除した穴
４  錠剤
５  ちぎり易くしたプラスチック上の溝
６  カットした部分
【図１】
2005066299.tif 000003
【図２】
2005066299.tif 000004
【図３】
2005066299.tif 000005
(57)【要約】【課題】  買い物袋（ビニール袋）のもち手部分が、品物のおもさで指を圧迫することにより痛みやマヒが発生するので、そのような苦痛をやわらげる指の緩衝具を提供する。【解決手段】  本体（１）正面の差し込み口（２）の上下に、１箇所ずつツメ（３）を設け、底面に２箇所のミゾ（４）を設けたことを特徴とする。【選択図】      図１
2005066296.tif 000002
【特許請求の範囲】
【請求項１】
本体（１）正面に、上下１箇所ずつのツメ（３）を有する差し込み口（２）を設け、底面には２箇所のミゾ（４）を設けた指の緩衝具。
【発明の詳細な説明】
【発明の詳細な説明】
【技術分野】
【０００１】  この発明は、買い物後、品物を持ち帰るために使用する買い物袋（ビニール袋）のもち手部分が、品物のおもさで指を圧迫することになり、痛みやマヒなどが発生する。このような苦痛をやわらげる指の緩衝具に関するものである。
【背景技術】
【０００２】  従来のものは、本体が柄の部分と買い物袋をつるす部分とにわかれたもの、または、本体にもち手部分をひっかけて使うものなどである。これらのものは大きさが一定で、かさばるものばかりである。
【発明が解決しようとする課題】
【０００３】  そのために次のような問題点があった。
イ．緩衝具の大きさが一定でかさばるので、日常、持ち歩くには不便である。
ロ．単に、つるしたり又はひっかけて使用する方法であることを忘れ、買い物袋をテーブルや床などに置いた場合、そく買い物袋のもち手部分が緩衝具からはずれるので、品物によっては破損することもあり一体感に欠ける。
ハ．ふたたび持ち歩くという場合には、再度、買い物袋のもち手部分を緩衝具にかけ直さなければならないというわずらわしさがあり操作性に欠ける。
本発明は、以上の問題点を解決するためになされたものである。
【課題を解決するための手段】
【０００４】本体（１）正面に、差し込み口（２）を設ける。そして、差し込み口（２）の上下に１箇所ずつツメ（３）を設ける。底面には２箇所のミゾ（４）を設ける。
本発明は、以上の構成よりなる指の緩衝具である。
【発明を実施するための最良の形態】
【０００５】  以下、本発明の実施の形態を説明する。
ひら板状（厚さ、約２ミリ前後）の合成樹脂でつくられた本体（１）正面にある差し込み口（２）の上下に、１箇所ずつもち手部分の脱落防止用のツメ（３）を設ける。また、差し込み口（２）の上下部分は、材質・厚みなどから、ばねのような弾力性がそなわっている。そして、底面には買い物袋のもち手部分を挟み込むためのミゾ（４）を両端に設ける。
本発明は、以上の構成よりなっている。
本発明を使用するには、本体（１）正面に設けられた差し込み口（２）を、またぐように買い物袋のもち手部分を押し当てたまま下向きに引き下ろすと、差し込み口（２）と脱落防止用のツメ（３）とのあいだにできた、すきまをすべるようにもち手部分がくぐりぬける。そして、底面の両端にある２箇所のミゾ（４）に、もち手部分を挟み込んで定着し、持ち運びができるというものである。
（第２実施の形態）
また、買い物袋のもち手部分に、本体（１）正面に設けられた差し込み口（２）を上向きにして、下方よりもち手部分に押し当てて、差し込み口（２）と脱落防止用のツメ（３）とのあいだにすきまをつくりながら、もち手部分をくぐらせる。そして、底面の両端にある２箇所のミゾ（４）に、もち手部分を挟み込んで定着し、持ち運びができるというものである。
【発明の効果】
【０００６】  薄いひら板状のものを用いたものではあるが、痛みおよびマヒなどの苦痛を解消する。また、本体そのものが手のひらの中におさまるので、一体感および操作性の向上。しかも、かさばらず軽いので、日頃、持ち歩くにもじゃまになりにくい。なお用途によって本体の大きさ・形などが変えられる。
【図面の簡単な説明】
【図１】      本発明の斜視図
【図２】      本発明の正面図
【図３】      本発明の底面図
【図４】      本発明の右側面図
【符号の説明】
１    本体
２    差し込み口
３    ツメ
４    ミゾ
【図１】
2005066296.tif 000003
【図２】
2005066296.tif 000004
【図３】
2005066296.tif 000005
【図４】
2005066296.tif 000006
(57)【要約】【課題】  前面枠を背負枠から外せば動噴の前面側が開放されるので動噴の前面側から工具が自在に入るし、また背負枠の支柱がエンジンの側方にあるので動噴及びエンジンとの間における両側面は開放されて両側方から工具が自在に入るので、背負枠に動噴及びエンジンを搭載したままの状態で全てのメンテナンス作業が行える背負式動力噴霧機を得る。【解決手段】  動噴５，エンジン６などを載置する背負枠７の上方にタンク２が搭載されるものにおいて、背負枠７の左右の支柱７ｃを動噴５のある前半位置よりもエンジン６のある後半位置に配置すると共に、背当クッション３などを取り付ける前面枠８を背負枠７の前面に着脱可能に装着してなる。【選択図】    図１
2005066561.tif 000002
【特許請求の範囲】
【請求項１】
動噴，エンジンなどを載置する背負枠の上方にタンクが搭載されるものにおいて、前記背負枠の左右の支柱を動噴のある前半位置よりもエンジンのある後半位置に配置すると共に、背当クッションなどを取り付ける前面枠を背負枠の前面に着脱可能に装着したことを特徴とする背負式動力噴霧機。
【発明の詳細な説明】
【技術分野】
【０００１】
本発明は、動噴，エンジンなどを載置する背負枠の上方にタンクが搭載される背負式動力噴霧機に関するものである。
【背景技術】
【０００２】
この種の背負式動力噴霧機では、エンジンの排熱及び排気ガスのことを考えて、エンジンを使用者の背中から離れる，つまり背負枠の後半位置に配置し、動噴を使用者の背中に近い，つまり背負枠の前半位置に配置している。
【０００３】
一方、動噴やエンジンのメンテナンスを行うとき、動噴ではポンプのシール部分やバルブ部分などで注油や点検，交換が必要であるがその際にはボルトナット類の着脱は動噴の前面及び両側面から工具を入れて行うし、エンジンでは出力軸の接続部分やクラッチ部分などで点検や交換が必要であるがその際にはボルトナット類の着脱はエンジンの前面側及び動噴との間の両側面から工具を入れて行っている。
【０００４】
従来のこの種の背負式動力噴霧機は、図３に示すように背負枠１の前面側にはタンク２を支持する他に背当クッション３の支持も兼ねる支柱（壁）４が配置される構造になっている。この背負枠１には、動噴５とエンジン６とが搭載されている。
【発明の開示】
【発明が解決しようとする課題】
【０００５】
解決しようとする問題は、図３のものでは背負枠１の支柱（壁）４により動噴５の前面側が塞がれるので、動噴５の前面側から工具を入れてメンテナンスができず、仕方なく動噴５及びエンジン６を背負枠１から下ろした状態でメンテナンスを行っているために、メンテナンス時にはいちいち動噴５及びエンジン６を背負枠１から下ろさなければならず、その作業に大変な手間と労力が掛かるという点である。
【課題を解決するための手段】
【０００６】
本発明は、背負枠の左右の支柱を動噴のある前半位置よりもエンジンのある後半位置に配置すると共に、背当クッションなどを取り付ける前面枠を背負枠の前面に着脱可能に装着したことを特徴とする。
【発明の効果】
【０００７】
本発明は、前面枠を背負枠から外せば動噴の前面側が開放されるので動噴の前面側から工具が自在に入るし、また背負枠の支柱がエンジンの側方にあるので動噴及びエンジンとの間における両側面は開放されて両側方から工具が自在に入るので、背負枠に動噴及びエンジンを搭載したままの状態で全てのメンテナンス作業が行えるという効果がある。
【発明を実施するための最良の形態】
【０００８】
背負枠の左右の支柱を動噴のある前半位置よりもエンジンのある後半位置に配置すると共に背当クッションなどを取り付ける前面枠を背負枠の前面に着脱可能に装着することで、背負枠から動噴及びエンジンを下ろさずにメンテナンスができることを実現した。
【実施例】
【０００９】
図１は本発明装置の一実施例を示す全体側面図、図２は図１を前面枠を外した状態で前面からみた図であり、図中前記した従来のものと同一または相当部分には同一符号を付して説明を省略する。
【００１０】
図において、７は上枠７ａと下枠７ｂと枠全体の後方に位置する左右の支柱７ｃとからなる背負枠、８は上枠７ａに着脱可能に係止されて前後方向に開閉する前面枠で、背当クッション３が取り付けられている。
【００１１】
図１に示す状態，つまり前面枠８が背負枠７の前面に装備されている状態が、本機を使用するときの状態であって、この使用状態では背当クッション３が正規の位置にあるので、これをこのまま背負って使用できる。
【００１２】
次に、動噴５やエンジン６のメンテナンスを行うときには、前面枠８を図１中点線で示すように前方に開いてそのまま上枠７ａから外す。こうすることによって、動噴５の前方が開放されて動噴５の前面に前方から工具が入れられるし、動噴５及びエンジン６との間における両側方には左右の支柱７ｃがなく開放されて両側方から工具が入れられるので、背負枠７内の動噴５及びエンジン６に対して前からも横からも工具が使え，手も使えてメンテナンスを行えるようになる。よって、背負枠７から動噴５及びエンジン６を下ろさずにメンテナンス作業ができ、その作業性はあらゆる作業面において向上する。
【００１３】
背負枠７における左右の支柱７ｃの位置は、エンジン６の側方に位置するほどに後方が良いが、しかし少なくとも動噴５の側方から外れる後方位置であればが良い。また、背負枠７の上枠７ａは、タンク２の下部を同時成型する形状（構成）を有するものであっても良い。
【産業上の利用可能性】
【００１４】
本発明は、背負式の動力噴霧機全般にわたって広く活用できる。
【図面の簡単な説明】
【００１５】
【図１】本発明装置の一実施例を示す全体側面図である。
【図２】図１を前面枠を外した状態で前面からみた図である。
【図３】従来のものを示す全体側面図である。
【符号の説明】
【００１６】
２：タンク
３：背当クッション
５：動噴
６：エンジン
７：背負枠
７ａ：上枠
７ｂ：下枠
７ｃ：支柱
８：前面枠
【図１】
2005066561.tif 000003
【図２】
2005066561.tif 000004
【図３】
2005066561.tif 000005
(57)【要約】【課題】  タンクの上下分割によって個の扱いがし易くなると共にタンク内への液揺れ防止用仕切板の設置やタンク内部の洗浄・点検が容易に行えるし，さらにドレイン口，ホース取付口，背負枠との接続部など複雑なものもタンクの下部側を背負枠と樹脂で一体成形するときに同時成形できるので後加工が皆無となって生産性が向上する背負式動力噴霧機を得る。【解決手段】  タンクを上下に分割し、このタンクの下部側８ａと背負枠８ｂを樹脂で一体に成形してなる。【選択図】    図１
2005066560.tif 000002
【特許請求の範囲】
【請求項１】
タンクを上下に分割し、このタンクの下部側と背負枠を樹脂で一体に成形したことを特徴とする背負式動力噴霧機。
【発明の詳細な説明】
【技術分野】
【０００１】
本発明は、エンジン，ポンプなどを載置する背負枠の上方にタンクが搭載される背負式動力噴霧機に関するものである。
【背景技術】
【０００２】
従来のこの種の背負式動力噴霧機は、図４に示すようにタンク１と背負枠２を別々に作り、背負枠２上にタンク１を搭載すると共に背負枠２に背当クッション３を取り付けている。また、他のものは、図５に示すようにタンクと背負枠を樹脂で一体に成形し、この一体成形品４に背当クッション３などを取り付けている。なお、各図中５は動噴、６はエンジンである。
【発明の開示】
【発明が解決しようとする課題】
【０００３】
解決しようとする問題は、図４のものではタンク１と背負枠２が別々に構成されているのでドレイン口，ホース取付口，背負枠２との接続部などをタンク１に切削などで後加工しなければならず、その加工，組立に大変な手間がかかるという点、また図５のものではタンクと背負枠が樹脂で一体に成形されているので個（一体成形品４）の大型化によって重くて扱いにくくなると共に、タンク内に設置する液揺れ防止用仕切板の挿入がしにくいし，タンク内部の洗浄・点検が困難であるという点である。
【課題を解決するための手段】
【０００４】
本発明は、タンクを上下に分割し、このタンクの下部側と背負枠を樹脂で一体に成形したことを特徴とする。
【発明の効果】
【０００５】
本発明は、タンクの上下分割によって個の扱いがし易くなると共にタンク内への液揺れ防止用仕切板の設置やタンク内部の洗浄・点検が容易に行えるし，さらにドレイン口，ホース取付口，背負枠との接続部など複雑なものもタンクの下部側を背負枠と樹脂で一体成形するときに同時成形できるので後加工が皆無となって生産性が向上するという効果がある。
【発明を実施するための最良の形態】
【０００６】
タンクを上下に分割して、このタンクの下部側を背負枠と樹脂で一体に成形することで実現した。
【実施例】
【０００７】
図１は本発明装置の一実施例を示す全体側面図、図２は図１の背負枠側を示す側面図、図３は図２を左（前面）からみた図であり、図中前記した従来のものと同一または相当部分には同一符号を付して説明を省略する。
【０００８】
図において、７はタンクの上部側、８はタンクの下部側８ａと背負枠８ｂとを樹脂で一体成形してなる樹脂成型品で、インジェクション成形されている。
【０００９】
このようにタンクを上下に分割し、このタンクの下部側８ａを背負枠８ｂとインジェクション成形により樹脂成型品８（図２，図３に示すもの）としておくと、タンク下部側８ａに十分な強度を確保した上で不要な部分は肉厚を少なくして軽く作ることができるので、従来のようにブロー成形によってタンク底部に余分な肉がついて重くなるのに比べて、軽量で高強度，高精度のタンク下部側８ａが得られる。
【００１０】
また、タンクと背負枠との接続部がなくなるので、ドレイン口，ホース取付口，背負枠との接続部などをタンクに後加工する必要がなく、仕上がり，生産効率が高くなると共にドレイン口，ホース取付口などの複雑な形状も樹脂成型品８の一部として簡単に作れる。
【００１１】
さらに、タンクが上下に分割されてタンク内が開放されることにより、タンク内に設置する液揺れ防止用仕切板の挿入が一枚板のままできて組み付けが容易になると共にタンク内部の洗浄・点検も簡単になる。
【００１２】
なお、タンクの上部側７はブロー成形などのデザインの自由度の大きい成形とすれば、容量，形状の異なるものが自在に作れるし、そうしてこれらをタンクの下部側８ａとの間で規格化して接続すればよい。このタンク上下の接続は、パッキンを介在させてボルトナットで締め付けるという簡単な手段で行える。
【００１３】
また、樹脂成型品８においてその背負枠８ｂの左右の支柱８ｃを後方寄り（エンジン６側）に位置させると共に背当クッション３を図１に示すように開いて外せるようにしておくと、背負枠８ｂの前面及び動噴５の両側面が開放されるので、動噴５及びエンジン６を背負枠８ｂから下ろすことなくメンテナンスを容易に実施できる。
【産業上の利用可能性】
【００１４】
本発明は、背負式の動力噴霧機全般にわたって広く活用できる。
【図面の簡単な説明】
【００１５】
【図１】本発明装置の一実施例を示す全体側面図である。
【図２】図１の背負枠側を示す側面図である。
【図３】図２を左（前面）からみた図である。
【図４】従来のものを示す全体側面図である。
【図５】従来の異なるものを示す全体側面図である。
【符号の説明】
【００１６】
３：背当クッション
５：動噴
６：エンジン
７：タンクの上部側
８：樹脂成型品
８ａ：タンクの下部側
８ｂ：背負枠
８ｃ：支柱
【図１】
2005066560.tif 000003
【図２】
2005066560.tif 000004
【図３】
2005066560.tif 000005
【図４】
2005066560.tif 000006
【図５】
2005066560.tif 000007
(57)【要約】【課題】  コンパクトなワイヤ送給装置を提供する。【解決手段】  産業用ロボットの手首フランジに取り付けられるアーク溶接用トーチ１のワイヤ送給装置２において、ワイヤ送給用のモータ１２を備え、駆動用モータ１２はシャフト１３方向が前記手首フランジ面と概ね平行となるように配置し、モータ１２のシャフト１３に小平歯車１１を固定し、小平歯車１１は大平歯車１０と噛合し、大平歯車１０にワイヤ送給用シャフト９を固定し、ワイヤ送給用シャフト９の先端にワイヤ送給ローラ８を固定し、モータ１２、小平歯車１１、大平歯車１０、およびワイヤ送給用シャフト９を「コ」字型に配置する。【選択図】    図１
2005066610.tif 000002
【特許請求の範囲】
【請求項１】
産業用ロボットの手首フランジに取り付けられるアーク溶接用トーチのワイヤ送給装置において、ワイヤ送給用のモータを備え、前記モータはシャフト方向が前記手首フランジ面と概ね平行となるように配置され、前記駆動用モータのシャフトには小平歯車が固定され、前記小平歯車は大平歯車と噛合し、前記大平歯車にはワイヤ送給用シャフトが固定され、前記ワイヤ送給用シャフトの先端にはワイヤ送給ローラが固定され、前記モータ、前記小平歯車、前記大平歯車、および前記ワイヤ送給用シャフトが「コ」字型に配置されることを特徴とするワイヤ送給装置。
【発明の詳細な説明】
【技術分野】
【０００１】
本発明は産業用ロボットの手首フランジに取り付けられるアーク溶接用トーチのワイヤ送給装置に関するものである。
【背景技術】
【０００２】
産業用ロボットの手首フランジに取り付けられるアーク溶接用トーチの先端近くにワイヤ送給用のモータを取り付けて、溶接ワイヤを先端から引っ張って送給するワイヤ送給装置が知られている（例えば、特許文献１、特許文献２）。
特許文献１の図２には、モータのシャフトに平歯車を備え、前記平歯車と噛合する別の平歯車と結合した軸にプルローラを取り付けたワイヤ送給装置が開示されている。特許文献２の図２には、サーボモータと減速手段とローラを直列に配置したワイヤ送給装置が開示されている。
【特許文献１】特開平１１−１７９５４８号公報
【特許文献２】特開２００１−２８７０３３号公報
【発明の開示】
【発明が解決しようとする課題】
【０００３】
しかしながら、従来のワイヤ送給装置は、モータと減速手段（歯車）およびローラが直列に並んでいるので、モータからローラまでの長さが大きくなるという問題があった。そのため、溶接トーチの横幅が大きくなり、狭隘部に溶接トーチを入れると、ワーク等と干渉が生じるという問題があった。また、重いモータが横に張り出すので、溶接トーチの回転慣性が大きくなり、溶接トーチの正確な位置決めが難しくなるという問題もあった。
そこで、本発明はコンパクトなワイヤ送給装置を提供することを目的とするものである。
【課題を解決するための手段】
【０００４】
上記の課題を解決するために、本発明は、産業用ロボットの手首フランジに取り付けられるアーク溶接用トーチのワイヤ送給装置において、ワイヤ送給用のモータを備え、前記モータはシャフト方向が前記手首フランジ面と概ね平行となるように配置し、前記駆動用モータのシャフトに小平歯車を固定し、前記小平歯車は大平歯車と噛合し、前記大平歯車にワイヤ送給用シャフトを固定し、前記ワイヤ送給用シャフトの先端にワイヤ送給ローラを固定し、前記モータ、前記小平歯車、前記大平歯車、および前記ワイヤ送給用シャフトを「コ」字型に配置するものである。
【発明の効果】
【０００５】
本発明は、モータと歯車とシャフトとローラを「コ」字型に配置したので、ワイヤ送給装置の横幅を小さくコンパクトにできるので、ワーク等との干渉を回避する効果がある。またアーク溶接トーチの回転慣性が小さくなるので、アーク溶接トーチの位置決め精度の向上や振動防止にも効果がある。
【発明を実施するための最良の形態】
【０００６】
以下、本発明の方法の具体的実施例について、図に基づいて説明する。
【実施例】
【０００７】
図１は、本発明の実施例を示すアーク溶接トーチの説明図であり、（ａ）は外形を示す立面図であり、（ｂ）は（ａ）のＡ−Ａ線で切断した断面図であり、（ｃ）は同じくＢ−Ｂ線で切断した断面図である。図において、１はアーク溶接トーチである。アーク溶接トーチ１はワイヤ送給装置２とショックセンサ３とノズル４からなり、図中で点線Ｗで示した経路に沿って溶接ワイヤ５が送給される。またワイヤ送給装置２の上面には取り付けフランジ６がある。取り付けフランジ６は図示しない産業用ロボットの手首フランジとの結合部である。
【０００８】
ワイヤ送給装置２の内部には１組の送給ローラ７，８があってワイヤ５を挟んでいる。送給ローラ８にはシャフト９が結合され、シャフト９は図１（ｃ）の右方向に延び、その先端に大平歯車１０が固定されている。大平歯車１０は小平歯車１１と噛み合い、小平歯車１１はモータ１２のシャフト１３に固定されている。モータ１２は取り付けフランジ６に平行になるように、ワイヤ送給装置２に横向きに取り付けられている。
【０００９】
このように、モータ１２、シャフト１３、小平歯車１１、大平歯車１０、シャフト９および送給ローラ８は、平面図（図１（ｃ））において、「コ」字型に配置されているので、モータ１２から送給ローラ８まで長さが短くなる。そのためワイヤ送給装置の横幅が小さくなる。また、重量物であるモータ１２を溶接トーチ１の回転軸（図中のＴ軸）から近い位置に配置しているので、アーク溶接トーチ１のＴ軸周りの回転慣性も小さくなる。
【産業上の利用可能性】
【００１０】
本発明は産業用ロボットの手首フランジに取り付けられるアーク溶接用トーチのワイヤ送給装置として利用可能である。
【図面の簡単な説明】
【００１１】
【図１】本発明の実施例を示すアーク溶接トーチの説明図であり、（ａ）は立面図、（ｂ）（ｃ）は断面図である。
【符号の説明】
【００１２】
１：アーク溶接トーチ  ２：ワイヤ送給装置  ３：ショックセンサ  ４：ノズル  ５：溶接ワイヤ  ６：取り付けフランジ  ７：送給ローラ  ８：送給ローラ  ９：シャフト  １０：大平歯車  １１：小平歯車  １２：モータ  １３：シャフト
【図１】
2005066610.tif 000003